(57)【要約】【課題】液体レンズを有するオートフォーカシング用カメラモジュールを提供する。【解決手段】本発明は液体レンズと固体レンズが積層配置されるレンズバレルと、上記液体レンズと固体レンズを通過した光が結像されるイメージセンサと、上記イメージセンサが電気的に搭載され上記レンズバレルの下部端に備えられる基板と、上記レンズバレルに一体に固定されて上記液体レンズに電源を印加するよう上記液体レンズと基板との間を電気的に連結する電源印加部と、を含む。本発明によると、高画素及び高機能に合わせて焦点の調節が可能で、全体の高さを低くして製品の小型化を図り、単純な構造の液体レンズを採用し、液体レンズを組立てる構造を単純化して作業生産性を向上させ、製造コストを低減することが出来る。【選択図】図２
2008276228.tif 000002
【特許請求の範囲】
【請求項１】
液体レンズと固体レンズが積層配置されるレンズバレルと、
前記液体レンズと固体レンズを通過した光が結像されるイメージセンサと、
前記イメージセンサが電気的に搭載され前記レンズバレルの下部端に備えられる基板と、
前記レンズバレルに一体に固定されて前記液体レンズに電源を印加するよう前記液体レンズと基板との間を電気的に連結する電源印加部と、を含む液体レンズを有するオートフォーカシング用カメラモジュール。
【請求項２】
前記電源印加部は、前記レンズバレルの内部面を通して露出される上端が前記液体レンズに接して電気的に連結され、前記レンズバレルの外部に露出される下端が前記基板と電気的に連結される第１，２リードを含むことを特徴とする請求項１に記載の液体レンズを有するオートフォーカシング用カメラモジュール。
【請求項３】
前記第１リードの上端は、前記液体レンズを構成するベースに接続され、前記第１リードの下端は前記基板に接続され、前記第２リードの上端は前記ベースの下部面に接合される下部透明基板に接続され、前記第２リードの下端は前記基板に接続されることを特徴とする請求項２に記載の液体レンズを有するオートフォーカシング用カメラモジュール。
【請求項４】
前記第１，２リードは、前記レンズバレルに一体に成形される垂直胴体と、前記液体レンズと弾性的に接するよう前記液体レンズ側に傾斜して折曲される弾性接触部とを含むことを特徴とする請求項２に記載の液体レンズを有するオートフォーカシング用カメラモジュール。
【請求項５】
前記第１，２リードの弾性接触部は、前記レンズバレルの内部面に形成される第１，２露出領域にそれぞれ配置されることを特徴とする請求項４に記載の液体レンズを有するオートフォーカシング用カメラモジュール。
【請求項６】
前記第１，２リードの下端は、前記基板の端子連結部にはんだを介して接続されることを特徴とする請求項２に記載の液体レンズを有するオートフォーカシング用カメラモジュール。
【請求項７】
第１，２リードの下端は、前記基板の端子連結部に備えられるコネクタを介して接続されることを特徴とする請求項２に記載の液体レンズを有するオートフォーカシング用カメラモジュール。
【請求項８】
前記レンズバレルは、前記液体レンズが配置される第１収容部と、前記固体レンズが配置される第２収容部とを備えることを特徴とする請求項１に記載の液体レンズを有するオートフォーカシング用カメラモジュール。
【請求項９】
前記レンズバレルの上部端には入射孔を貫通形成した上部キャップを備えることを特徴とする請求項１に記載の液体レンズを有するオートフォーカシング用カメラモジュール。
【請求項１０】
液体レンズと固体レンズが積層配置されるレンズバレルと、
前記液体レンズと固体レンズを通過した光が結像されるイメージセンサと、
前記イメージセンサが電気的に搭載され前記レンズバレルの下部端に備えられる基板と、
前記レンズバレルの胴体を垂直に貫通する配置孔に挿入配置され前記液体レンズに電源を印加するよう前記液体レンズと基板との間を電気的に連結する電源印加部と、を含む液体レンズを有するオートフォーカシング用カメラモジュール。
【請求項１１】
前記電源印加部は、前記レンズバレルの内部空間に一定長さ露出される上端が前記液体レンズの外部面に接して電気的に連結され、前記レンズバレルの外部に露出される下端が前記基板と電気的に連結される第１，２リードを含むことを特徴とする請求項１０に記載の液体レンズを有するオートフォーカシング用カメラモジュール。
【請求項１２】
前記第１リードの上端は前記液体レンズを構成するベースの上部面に接続され、前記第１リードの下端は前記基板に接続され、前記第２リードの上端は前記ベースの下部面に接合される下部透明基板の下部面に接続され、前記第２リードの下端は前記基板に接続されることを特徴とする請求項１１に記載の液体レンズを有するオートフォーカシング用カメラモジュール。
【請求項１３】
前記第１，２リードは、前記配置孔に挿入配置される垂直胴体と、前記垂直胴体の上端から前記液体レンズ側に９０度折曲され前記液体レンズの外部面と接する水平胴体とを含むことを特徴とする請求項１１に記載の液体レンズを有するオートフォーカシング用カメラモジュール。
【請求項１４】
前記配置孔は、前記レンズバレルの内部面に陥没形成されたリード配置溝と相互連結されることを特徴とする請求項１３に記載の液体レンズを有するオートフォーカシング用カメラモジュール。
【請求項１５】
前記第１リードの水平胴体は、前記レンズバレルに組み立てられる上部キャップと液体レンズとの間に積層配置されることを特徴とする請求項１３に記載の液体レンズを有するオートフォーカシング用カメラモジュール。
【請求項１６】
前記第１リードの水平胴体は、前記液体レンズを構成する上部透明基板より大きい大きさを有する貫通孔を備えることを特徴とする請求項１３に記載の液体レンズを有するオートフォーカシング用カメラモジュール。
【請求項１７】
前記第２リードの水平胴体は、前記液体レンズと固体レンズとの間に積層配置されることを特徴とする請求項１３に記載の液体レンズを有するオートフォーカシング用カメラモジュール。
【請求項１８】
前記第２リードの水平胴体は、前記液体レンズと固体レンズの有効径より大きい大きさを有する貫通孔を備えることを特徴とする請求項１３に記載の液体レンズを有するオートフォーカシング用カメラモジュール。
【請求項１９】
前記第１，２リードの下端は、前記基板の端子連結部にはんだを介して接続されることを特徴とする請求項１１に記載の液体レンズを有するオートフォーカシング用カメラモジュール。
【請求項２０】
前記第１，２リードの下端は、前記基板の上部面に備えられるコネクタを介して接続されることを特徴とする請求項１１に記載の液体レンズを有するオートフォーカシング用カメラモジュール。
【請求項２１】
前記レンズバレルは、前記液体レンズが配置される第１収容部と、前記固体レンズが配置される第２収容部とを備えることを特徴とする請求項１０に記載の液体レンズを有するオートフォーカシング用カメラモジュール。
【請求項２２】
前記レンズバレルの上部端には、入射孔を貫通形成した上部キャップを備えることを特徴とする請求項１０に記載の液体レンズを有するオートフォーカシング用カメラモジュール。
【請求項２３】
液体レンズと固体レンズが積層配置されるレンズバレルと、
前記液体レンズと固体レンズを通過した光が結像されるイメージセンサと、
前記イメージセンサが電気的に搭載され前記レンズバレルの下部端に備えられる基板と、
前記レンズバレルの胴体を垂直に貫通する配置孔に挿入配置され、前記液体レンズと固体レンズとの間に折れ配置され前記液体レンズに電源を印加するよう前記液体レンズと基板との間を電気的に連結する電源印加部と、を含む液体レンズを有するオートフォーカシング用カメラモジュール。
【請求項２４】
前記電源印加部は、前記液体レンズと対応して接する外部面に第１，２連結パターンを備え、前記配置孔を通してレンズバレルの外部に露出される下端に前記基板と電気的に連結される第３連結パターンを備える可撓性基板を含むことを特徴とする請求項２３に記載のオートフォーカシング用カメラモジュール。
【請求項２５】
前記可撓性基板は、前記液体レンズを構成するベースに接する第１連結パターンが印刷される第１基板と、前記ベースを構成する下部透明基板に接する第２連結パターンが印刷される第２可撓性基板と、前記基板と電気的に連結される第３連結パターンが印刷される第３可撓性基板とを含み、前記第１，２及び３連結パターンは前記可撓性基板に印刷される回路ラインを通して連結されることを特徴とする請求項２４に記載のオートフォーカシング用カメラモジュール。
【請求項２６】
前記第１可撓性基板と第２可撓性基板との間には、前記レンズバレルの内部面に陥没形成された基板配置溝に配置される第１連結可撓性基板を備え、前記第２可撓性基板と第３可撓性基板との間には、前記レンズバレルに貫通形成された他の配置孔に挿入配置される第２連結可撓性基板を備えることを特徴とする請求項２５に記載のオートフォーカシング用カメラモジュール。
【請求項２７】
前記第２連結可撓性基板が挿入配置される配置孔は、前記レンズバレルの内部面に陥没形成される他の基板配置溝と連結されることを特徴とする請求項２６に記載のオートフォーカシング用カメラモジュール。
【請求項２８】
前記第１可撓性基板は、前記レンズバレルの上部に組み立てられる上部キャップと前記ベースの上部面との間に積層配置されることを特徴とする請求項２５に記載のオートフォーカシング用カメラモジュール。
【請求項２９】
前記第２可撓性基板は、前記ベースに備えられる下部透明基板の下部面と前記固体レンズとの間に積層配置されることを特徴とする請求項２５に記載のオートフォーカシング用カメラモジュール。
【請求項３０】
前記第１可撓性基板と第２可撓性基板は、前記レンズバレルの内径の大きさと同じ大きさに備えられることを特徴とする請求項２５に記載のオートフォーカシング用カメラモジュール。
【請求項３１】
前記第１可撓性基板は、前記液体レンズを構成する上部透明基板より大きい大きさを有する貫通孔を備えることを特徴とする請求項２５に記載のオートフォーカシング用カメラモジュール。
【請求項３２】
前記第２可撓性基板は、前記液体レンズと固体レンズの有効径より大きい大きさを有する貫通孔を備えることを特徴とする請求項２５に記載のオートフォーカシング用カメラモジュール。
【請求項３３】
前記第１可撓性基板は、前記レンズバレルの内部面と前記ベースの外側面との間に積層配置されることを特徴とする請求項２５に記載のオートフォーカシング用カメラモジュール。
【請求項３４】
前記第１基板は、前記レンズバレルの内部面に形成された基板配置溝に配置されることを特徴とする請求項３２に記載のオートフォーカシング用カメラモジュール。
【請求項３５】
前記第３可撓性基板の第３連結パターンは、前記基板の端子連結部にはんだを介して接続されることを特徴とする請求項２５に記載のオートフォーカシング用カメラモジュール。
【請求項３６】
前記第３可撓性基板の第３連結パターンは、前記基板の端子連結部に備えられるコネクタを介して接続されることを特徴とする請求項２５に記載のオートフォーカシング用カメラモジュール。
【請求項３７】
前記レンズバレルは、前記液体レンズが配置される第１収容部と、前記固体レンズが配置される第２収容部とを備えることを特徴とする請求項２３に記載のオートフォーカシング用カメラモジュール。
【請求項３８】
前記レンズバレルの上部端には、入射孔を貫通形成した上部キャップを備えることを特徴とする請求項２３に記載のオートフォーカシング用カメラモジュール。
【発明の詳細な説明】
【技術分野】
【０００１】
本発明は、液体レンズを設けて焦点を自動で調節するカメラモジュールに関する。
【背景技術】
【０００２】
一般的に携帯電話、ＰＤＡ、携帯用ＰＣなどのような携帯通信端末機は最近、文字或いは音声データを転送することだけでなく、画像データの転送まで行うことが一般化しつつある。
【０００３】
このような傾向に応えて画像データの転送や画像チャットなどが出来るよう最近は携帯通信端末機にカメラモジュールが基本的に設けられている。
【０００４】
図１は、一般のカメラモジュールを図示した縦断面図である。このようなカメラモジュール１は、複数個のレンズ２が内部空間に配置されるレンズバレル１０を備え、胴体の外部面には雄ねじ部１１が形成され、上部面の中央には入射孔１３を貫通形成する。
【０００５】
このようなレンズバレル１０は、内部面に雌ねじ部２１を形成したハウジング２０とねじ結合されることにより、上記レンズバレル１０の回転操作時に固定部材であるハウジング２０に対して光軸方向に上下移動する。
【０００６】
上記ハウジング２０の下部端には、レンズを通過した被写体の像が結像されるイメージ結像領域を備えるイメージセンサ３０を配置し、上記イメージセンサ３０は基板４０の上部面または下部面に電気的に接続される。
【０００７】
ここで、上記イメージセンサ３０は、上記基板４０の上部面に複数個のワイヤ部材３５を介してワイヤボンディング方式で搭載されることを図示して説明したが、これに限定されず、上記基板の下部面にフリップチップボンディング方式で搭載されることもある。
【０００８】
図１において符号１５はレンズ２と隣接するレンズとの間隔を維持するスペーサで、符号１６は上記入射孔１３を通した光量を調節するしぼりで、符号１７は上記レンズ２をレンズバレル１０に位置固定するよう上記レンズバレル１０の下部端に強制圧入される圧入リングである。
【０００９】
このような従来のカメラモジュール１において、レンズバレルに備えられたレンズ２とイメージセンサ３０との焦点距離を調節するためには、ハウジング２０にねじ結合されたレンズバレル１０を正方向または逆方向にねじ移動させなければならない。
【００１０】
しかし、このようなカメラモジュール１は、レンズバレルとハウジングが相互ねじ結合されるため構造が複雑で、組立完成後のテストの際に製品の不良の発生率が比較的高く、組立ラインで手作業で焦点を調整する作業を伴うため工程費用を増加させる要因として作用した。
【００１１】
また、レンズバレルとハウジングとのねじ組立構造により製品の高さを減らすには限界があるため、製品の大きさを減らして小型化することに問題点があった。
【００１２】
一方、特許文献１には液体レンズと固体レンズをレンズバレルに配置して焦点を調節するカメラモジュールが開示されている。
【００１３】
ここで、上記液体レンズは一定大きさのキャビティ内に絶縁液を満たし、その上部に電解液を満たし、上記絶縁液の下部に電極が形成された構造で、電極と電解液に電流を流すと、液体の表面張力が変わり接触している物質を濡らすことが出来る電気湿潤（ｅｌｅｃｔｒｏ−ｗｅｔｔｉｎｇ）現象が起きるため、絶縁液上の電解液の界面角、即ち接触角が変わることになる。
【００１４】
このように、液体レンズは、電気湿潤現象を利用して界面の平衡湿潤条件により界面の曲率を変化させることで焦点距離を調節することが出来るため、機械的な駆動なく簡単に焦点を調節することが出来る。
【００１５】
しかし、このような従来のカメラモジュールにおいて、上記液体レンズに電流を印加するため、上記電極及び電解液と電気的に連結されるＦＰＣは、上記レンズバレルの上端に満たされる充填剤により位置固定された後、外部に引出され、外部に引出されるＦＰＣの入力端は未図示の電源印加部と電気的に連結されなければならない。
【００１６】
このような場合、上記レンズバレルの上端に塗布される充填剤によって上記ＦＰＣをレンズバレルに位置固定する作業が非常に厄介で、組立完成したカメラモジュールをメイン基板に搭載する作業時に、外部に露出されるＦＰＣが他部材との干渉により短絡したり損傷することがある。
【００１７】
また、上記カメラモジュールにはＦＰＣが組立完成した液体レンズが組み立てられなければならないため、上記液体レンズの組立構造を単純化し、製造コストを低減するにおいて問題点があった。
【００１８】
【特許文献１】日本公開特許２００６−２４３５７２号（公開日２００６．９．１４．）
【発明の開示】
【発明が解決しようとする課題】
【００１９】
本発明は上記のような従来の問題点を解消するために案出されたもので、その目的は、高画素及び高機能に合わせて焦点の調節が可能で、全体の高さを低くして製品の小型化を図り、単純な構造の液体レンズを採用し、液体レンズを組立てる構造を単純化して作業生産性を向上させ、製造コストを低減することが出来る液体レンズを有するオートフォーカシング用カメラモジュールを提供することにある。
【課題を解決するための手段】
【００２０】
上記の目的を達成すべく、本発明は、液体レンズと固体レンズが積層配置されるレンズバレルと、上記液体レンズと固体レンズを通過した光が結像されるイメージセンサと、上記イメージセンサが電気的に搭載され上記レンズバレルの下部端に備えられる基板と、上記レンズバレルに一体に固定されて上記液体レンズに電源を印加するよう上記液体レンズと基板との間を電気的に連結する電源印加部と、を含む液体レンズを有するオートフォーカシング用カメラモジュールを提供する。
【００２１】
好ましく、上記電源印加部は、上記レンズバレルの内部面を通して露出される上端が上記液体レンズに接して電気的に連結され、上記レンズバレルの外部に露出される下端が上記基板と電気的に連結される第１，２リードを含む。
【００２２】
さらに好ましく、上記第１リードの上端は上記液体レンズを構成するベースに接続され、上記第１リードの下端は上記基板に接続され、上記第２リードの上端は上記ベースの下部面に接合される下部透明基板に接続され、上記第２リードの下端は上記基板に接続される。
【００２３】
さらに好ましく、上記第１，２リードは、上記レンズバレルに一体に成形される垂直胴体と、上記液体レンズと弾性的に接するよう上記液体レンズ側に傾斜して折曲される弾性接触部とを含む。
【００２４】
さらに好ましく、上記第１，２リードの弾性接触部は、上記レンズバレルの内部面に形成される第１，２露出領域にそれぞれ配置される。
【００２５】
さらに好ましく、上記第１，２リードの下端は、上記基板の端子連結部にはんだを介して接続される。
【００２６】
さらに好ましく、上記第１，２リードの下端は上記基板の端子連結部に備えられるコネクタを介して接続される。
【００２７】
好ましく、上記レンズバレルは上記液体レンズが配置される第１収容部と、上記固体レンズが配置される第２収容部とを備える。
【００２８】
好ましく、上記レンズバレルの上部端には入射孔を貫通形成した上部キャップを備える。
【００２９】
また、本発明は、液体レンズと固体レンズが積層配置されるレンズバレルと、上記液体レンズと固体レンズを通過した光が結像されるイメージセンサと、上記イメージセンサが電気的に搭載され上記レンズバレルの下部端に備えられる基板と、上記レンズバレルの胴体を垂直に貫通する配置孔に挿入配置され上記液体レンズに電源を印加するよう上記液体レンズと基板との間を電気的に連結する電源印加部と、を含む液体レンズを有するオートフォーカシング用カメラモジュールを提供する。
【００３０】
好ましく、上記電源印加部は、上記レンズバレルの内部空間に一定長さ露出される上端が上記液体レンズの外部面に接して電気的に連結され、上記レンズバレルの外部に露出される下端が上記基板と電気的に連結される第１，２リードを含む。
【００３１】
さらに好ましく、上記第１リードの上端は上記液体レンズを構成するベースの上部面に接続され、上記第１リードの下端は上記基板に接続され、上記第２リードの上端は上記ベースの下部面に接合される下部透明基板の下部面に接続され、上記第２リードの下端は上記基板に接続される。
【００３２】
さらに好ましく、上記第１，２リードは、上記配置孔に挿入配置される垂直胴体と、上記垂直胴体の上端から上記液体レンズ側に９０度折曲され上記液体レンズの外部面と接する水平胴体とを含む。
【００３３】
さらに好ましく、上記配置孔は上記レンズバレルの内部面に陥没形成されたリード配置溝と相互連結される。
【００３４】
さらに好ましく、上記第１リードの水平胴体は上記レンズバレルに組み立てられる上部キャップと液体レンズとの間に積層配置される。
【００３５】
さらに好ましく、上記第１リードの水平胴体は上記液体レンズを構成する上部透明基板より大きい大きさを有する貫通孔を備える。
【００３６】
さらに好ましく、上記第２リードの水平胴体は上記液体レンズと固体レンズとの間に積層配置される。
【００３７】
さらに好ましく、上記第２リードの水平胴体は上記液体レンズと固体レンズの有効径より大きい大きさを有する貫通孔を備える。
【００３８】
さらに好ましく、上記第１，２リードの下端は上記基板の端子連結部にはんだを介して接続される。
【００３９】
さらに好ましく、上記第１，２リードの下端は上記基板の端子連結部に備えられるコネクタを介して接続される。
【００４０】
好ましく、上記レンズバレルは上記液体レンズが配置される第１収容部と、上記固体レンズが配置される第２収容部とを備える。
【００４１】
好ましく、上記レンズバレルの上部端には入射孔を貫通形成した上部キャップを備える。
【００４２】
また、本発明は、液体レンズと固体レンズが積層配置されるレンズバレルと、上記液体レンズと固体レンズを通過した光が結像されるイメージセンサと、上記イメージセンサが電気的に搭載され上記レンズバレルの下部端に備えられる基板と、上記レンズバレルの胴体を垂直に貫通する配置孔に挿入配置され上記液体レンズと固体レンズとの間に折れ配置され上記液体レンズに電源を印加するよう上記液体レンズと基板との間を電気的に連結する電源印加部と、を含む液体レンズを有するオートフォーカシング用カメラモジュールを提供する。
【００４３】
好ましく、上記電源印加部は、上記液体レンズと対応して接する外部面に第１，２連結パターンを備え、上記配置孔を通してレンズバレルの外部に露出される下端に上記基板と電気的に連結される第３連結パターンを備える可撓性基板を含む。
【００４４】
さらに好ましく、上記可撓性基板は、上記液体レンズを構成するベースに接する第１連結パターンが印刷される第１基板と、上記ベースを構成する下部透明基板に接する第２連結パターンが印刷される第２可撓性基板と、上記基板と電気的に連結される第３連結パターンが印刷される第３可撓性基板とを含み、上記第１，２及び３連結パターンは上記可撓性基板に印刷される回路ラインを通して連結される。
【００４５】
さらに好ましく、上記第１可撓性基板と第２可撓性基板との間には、上記レンズバレルの内部面に陥没形成された基板配置溝に配置される第１連結可撓性基板を備え、上記第２可撓性基板と第３可撓性基板との間には、上記レンズバレルに貫通形成された他の配置孔に挿入配置される第２連結可撓性基板を備える。
【００４６】
さらに好ましく、上記第２連結可撓性基板が挿入配置される配置孔は、上記レンズバレルの内部面に陥没形成される他の基板配置溝と連結される。
【００４７】
さらに好ましく、上記第１可撓性基板は上記レンズバレルの上部に組み立てられる上部キャップと上記ベースの上部面との間に積層配置される。
【００４８】
さらに好ましく、上記第２可撓性基板は上記ベースに備えられる下部透明基板の下部面と上記固体レンズとの間に積層配置される。
【００４９】
さらに好ましく、上記第１可撓性基板と第２可撓性基板は上記レンズバレルの内径の大きさと同じ大きさに備えられる。
【００５０】
さらに好ましく、上記第１可撓性基板は上記液体レンズを構成する上部透明基板より大きい大きさを有する貫通孔を備える。
【００５１】
さらに好ましく、上記第２可撓性基板は上記液体レンズと固体レンズの有効径より大きい大きさを有する貫通孔を備える。
【００５２】
さらに好ましく、上記第１可撓性基板は上記レンズバレルの内部面と上記ベースの外側面との間に積層配置される。
【００５３】
さらに好ましく、上記第１基板は上記レンズバレルの内部面に形成された基板配置溝に配置される。
【００５４】
さらに好ましく、上記第３可撓性基板の第３連結パターンは上記基板の端子連結部にはんだを介して接続される。
【００５５】
さらに好ましく、上記第３可撓性基板の第３連結パターンは上記基板の端子連結部に備えられるコネクタを介して接続される。
【００５６】
好ましく、上記レンズバレルは上記液体レンズが配置される第１収容部と、上記固体レンズが配置される第２収容部とを備える。
【００５７】
好ましく、上記レンズバレルの上部端には入射孔を貫通形成した上部キャップを備える。
【発明の効果】
【００５８】
本発明によると、液体レンズと固体レンズが配置されるレンズバレルに、電源印加部が一体に備えられるか、配置孔に配置されるか、或いは折れ配置され、液体レンズと基板との間を電気的に連結することにより、液体レンズに電源を印加してレンズとイメージセンサ間の焦点距離を簡単に調節することが出来るため、カメラモジュールの高画素及び高機能に合わせて焦点調節が可能で、モジュールの全体高さを低くして完製品の体積をさらに小さくすることができ、液体レンズを基板に接続する構造をより単純化して作業生産性を向上させることができ、製造コストを低減することが出来るという効果が得られる。 
【発明を実施するための最良の形態】
【００５９】
以下、添付の図面により本発明の好ましい実施例をより詳しく説明する。
<第１実施例>
【００６０】
図２は、本発明による液体レンズを有するオートフォーカシング用カメラモジュールの第１実施例を図示した縦断面図で、本発明の第１実施例によるカメラモジュール１００は、レンズバレル１１０、イメージセンサ１２０、基板１３０及び電源印加部１４０を含んで構成される。
【００６１】
上記レンズバレル１１０は、電源印加時に電気湿潤現象により界面の曲率を可変させる液体レンズ１０１が少なくとも一つ以上配置され、プラスチックまたはガラス材質からなる光学レンズの固体レンズ１０２が配置される中空円筒形のレンズ収容部である。
【００６２】
このようなレンズバレル１１０は、上記液体レンズが上側に固体レンズが下側に配置されるよう、上記液体レンズが配置される第１収容部１１１と上記固体レンズが配置される第２収容部１１２とをそれぞれ備える。
【００６３】
上記第１収容部１１１に配置される液体レンズ１０１は、胴体中央に一定大きさの内部空間のキャビティＣを貫通形成したベース１０１ａと、上記ベースの上部面に積層配置され上記キャビティの上部を密閉する上部透明基板１０１ｃ及び上記ベースの下部面に積層され上記キャビティの下部を密閉する下部透明基板１０１ｂを含んで構成される。
【００６４】
ここで上記液体レンズ１０１は、上記第１収容部１１１内に左右流動することなく挿入配置されるよう、上記第１収容部１１１の内径大きさとほぼ一致する外径大きさで備えられることが好ましい。
【００６５】
上記ベース１０１ａのキャビティＣには、密度がほぼ相互同じ非伝導性流体の電解液と伝導性流体の絶縁液とを上下積層されるよう満たして充填することになり、上記電解液と絶縁液との間には一定大きさの曲率を有する界面Ｐが形成される。
【００６６】
上記下部透明基板１０１ｂは、上記ベース１０１ａの下部面にボンディング剤１０１ｄによりボンディング接合され、上記下部透明基板１０１ｂの外部面には上記キャビティに満たされた電解液に電流を印加するようＩＴＯのような電極層が形成される。
【００６７】
上記レンズバレル１１０の上端には、上部面の中央領域に一定大きさの入射孔１１３ａを貫通形成した上部キャップ１１３を組み立てる。
【００６８】
このような場合、上記上部キャップ１１３は上記レンズバレル１１０の上部端に組立てられると、上記上部キャップ１１３の下部面の一部が液体レンズを構成するベース１０１ａの上部面または上部透明基板１０１ｃの上部面と外接し、これにより上記液体レンズ１０１を加圧して上記第１収容部１１１に配置された液体レンズの外部離脱を防ぐ。
【００６９】
そして、上記液体レンズ１０１を構成する下部透明基板１０１ｂの下部面は、複数個の固体レンズ１０２のうち最上層の固体レンズの平面部と面接することになり、これによって上記固体レンズ１０２を直下部に加圧して上記第２収容部１１２に配置された固体レンズの外部離脱を防ぐ。
【００７０】
上記第２収容部１１２に配置される固体レンズ１０２は、上記第２収容部１１２の内部面に突出形成された突出段差１１９に引っ掛かって安着し、上記固体レンズ１０２と隣接する他の固体レンズとの間には、固体レンズ同士の間隔を一定に維持するようスペーサ１０２ａを含む。
【００７１】
上記第２収容部１１２には、上記固体レンズ１０２を通過する光の光量を調節できるよう、しぼり（未図示）をさらに設けたり光に含まれた紫外線をフィルタリングするフィルター部材（未図示）をさらに設けることも出来る。
【００７２】
上記イメージセンサ１２０は、上記固体レンズ１０２の直下部に配置され、上記液体レンズ１０１と固体レンズ１０２を通過した光が結像されるよう上部面にイメージ結像領域を備えるセンサ部材である。
【００７３】
このようなイメージセンサ１２０は、上記レンズバレル１１０の下部端と結合されて固定される基板１３０に電気的に搭載され、上記基板１３０に搭載されるイメージセンサ１２０は、上記基板１３０に形成されたパターン回路に複数個のワイヤ１２５を介してワイヤボンディングされる方式として図示して説明したが、これに限定されず、一定大きさの窓を貫通形成した基板１３０の下部面にフリップチップボンディング方式で搭載することも出来る。
【００７４】
一方、上記電源印加部１４０は、上記レンズバレル１１０に一体に固定され、上記液体レンズ１０１に電源を印加するよう上記液体レンズ１０１と基板１４０との間を電気的に連結する。このような電源印加部１４０は、陽極と陰極を選択的に提供するよう導電性金属素材からなる第１リード１４０ａと第２リード１４０ｂを含む。
【００７５】
上記第１リード１４０ａと第２リード１４０ａは、各上端が上記液体レンズ１０１と対応するレンズバレル１１０の内部面を通して外部露出され、上記液体レンズ１０１の外部面に接することにより上記液体レンズと電気的に連結される。
【００７６】
そして、上記第１リード１４０ａと第２リード１４０ａの各下端は、上記基板１３０と対応するレンズバレル１１０の外部に露出され、上記基板１３０と電気的に連結される。
【００７７】
即ち、上記第１リード１４０ａの上端は、上記液体レンズ１０１を構成するベース１０１ａの外部面に接触して電気的に接続され、上記第１リード１４０ａの下端は、上記基板１３０の上部面に形成される端子連結部１３５ａに接続される。
【００７８】
上記第２リード１４０ｂの上端は上記ベース１０１ａの下部面に接合された下部透明基板１０１ｂに接触して電気的に接続され、上記第２リード１４０ｂの下端は、上記基板１３０の上部面に形成される他の端子連結部１３５ｂに接続される。
【００７９】
ここで、上記第１リード１４０ａと第２リード１４０ｂの各下端は、電源供給用端子の端子連結部１３５ａ，１３５ｂとはんだ１３６ａ，１３６ｂを介して電気的に連結されるものと図示して説明したが、これに限定されない。
【００８０】
上記第１リード１４０ａと第２リード１４０ｂの各下端は、上記基板１３０の端子連結部１３５ａ，１３５ｂにコネクタ（未図示）設けることにより、上記レンズバレル１１０と基板１３０との組立時に、挿入方式を通してより簡単かつ迅速に電気的に連結することが出来る。
【００８１】
これにより、上記第１リード１４０ａ、液体レンズ１０１及び第２リード１４０ｂは、電源印加時に電流が一方向へ流れる一連の回路を備えることになる。
【００８２】
そして、上記第１リード１４０ａは、図２と図３に図示したように、樹脂物からなるレンズバレル１１０の成形時に、上記レンズバレル１１０に一体に成形され長さの中間部分がレンズバレル１１０に固定され、上下端が外部露出される垂直胴体１４１ａと、上記液体レンズ１０１のベース１０１ａに弾性的に接するよう上記ベース１０１ａ側に傾斜するよう折曲され、一定強さの弾性力を発生させる弾性接触部１４３ａとを設けて構成される。
【００８３】
上記第２リード１４０ｂは上記第１リードと同様に、レンズバレル１１０の成形時に、上記レンズバレル１１０に一体に成形され長さの中間部分がレンズバレルに固定され、上下端が外部露出される垂直胴体１４１ｂと、上記液体レンズ１０１の下部透明基板１０１ｂの下部面に弾性的に接するよう上記液体レンズ１０１側に傾斜するよう折曲され、一定強さの弾性力を発生させる弾性接触部１４３ｂとを設けて構成される。
【００８４】
また、上記液体レンズ１０１と対応するレンズバレル１１０の内部面には、上記第１，２リード１４０ａ，１４０ｂの上端に備えられる弾性接触部１４３ａ，１４３ｂが、上記レンズバレル１１０の第１収容部内に挿入配置される液体レンズとの接触時に、自在に弾性変形できる空間を確保するよう第１，２露出領域１１８ａ，１１８ｂを備える。
【００８５】
上記第１露出領域１１８ａは、上記液体レンズ１０１のベース１０１ａと対応する第１収容部１１１の内部面に貫通形成されるか、或いは外側に一定深さ陥没形成される。
【００８６】
上記第２露出領域１１８ｂは、上記液体レンズ１０１の下部透明基板１０１ｂと対応する第２収容部１１２の内部面に一定深さ陥没形成される。
【００８７】
上記構成のカメラモジュール１００を組立てる工程は、図４ａに図示したように、第１，２レンズ収容部１１１，１１２を備えるレンズバレル１１０を用意し、上記レンズバレル１１０には上記電源印加部１４０を構成する第１リード１４０ａと第２リード１４０ｂが一体に含まれる。
【００８８】
上記第１，２リード１４０ａ，１４０ｂは、射出成形されるレンズバレル１１０の射出成形時に上記レンズバレル１１０に固定されるようインサート射出されることも出来るが、これに限定されず、上記レンズバレルの胴体にリード配置溝（未図示）を形成し、これに第１，２リード１４０ａ，１４０ｂを配置した後、樹脂物からなるリード配置溝をレーザまたは超音波で溶融して融着することにより、上記第１，２リードをレンズバレルに一体に固定することが出来る。
【００８９】
この際、上記第１，２リード１４０ａ，１４０ｂを構成する垂直胴体１４１ａ，１４１ｂは上記レンズバレル１１０に一体に固定される反面、弾性接触部１４３ａ，１４３ｂは上記レンズバレル１１０の射出成形時に形成された第１，２露出領域１１８ａ，１１８ｂに配置され、上記第１収容部１１１側に突出された状態で露出される。
【００９０】
そして、上記レンズバレル１１０に固体レンズ１０２を配置する作業は、図４ｂに図示したように、上記レンズバレル１１０に複数個の固体レンズ１０２を光軸方向に挿入して配置するため、最下層の固体レンズ１０２は第２レンズ収容部１１２の内部面に突出形成された突出段差１１９に平面部が接して固定され、上記固体レンズと隣接する他の固体レンズはスペーサ１０２ａを介して積層配置される。
【００９１】
この際、本発明の第１実施例は、レンズバレルに２枚の固体レンズが配置されるものと図示して説明したが、これに限定されず、撮像光学系の設計に合わせて１枚または３枚以上の固体レンズが配置されることも出来る。
【００９２】
また、上記第２レンズ収容部には、光量を調節するしぼり及び光に含まれた紫外線をフィルタリングするフィルター部材がさらに含まれることも出来る。
【００９３】
続いて、上記レンズバレル１１０に液体レンズ１０１を配置する作業は、図４ｃに図示したように、ベース１０１ａ、上下部透明基板１０１ｃ、１０１ｂを含み、上記ベース１０１ａのキャビティＣに電解液と絶縁液を充填した液体レンズ１０１を上記レンズバレル１１０の内部に挿入して第１レンズ収容部１１１に積層配置する。
【００９４】
このような場合、上記液体レンズ１０１が上記レンズバレル１１０の第１レンズ収容部１１１内に挿入される過程で、上記第１リード１４０ａの弾性接触部１４３ａは、上記ベース１０１ａの外部面と接することにより外側に自然に押し出され弾性変形され、上記第２リード１４０ｂの弾性接触部１４３ｂは、上記下部透明基板１０１ｂの下部面と接することにより下部側に自然に押し出され弾性変形される。
【００９５】
そして、上記下部透明基板１０１ｂが最上層の固体レンズ１０２に接すると、上記液体レンズ１０１の挿入は中止されると同時に、上記第１，２リード１４０ａ，１４０ｂの弾性接触部１４３ａ，１４３ｂは液体レンズ１０１との干渉時に発生する弾性復元力により上記ベース１０１と下部透明基板１０１ｂとの間の接触状態を維持することになる。
【００９６】
続いて、上記レンズバレル１１０の上部には、中央に入射孔１１３ａを貫通形成した上部キャップ１１３を組立て固定することにより、上記レンズバレル１１０の第１レンズ収容部１１１に挿入配置された液体レンズ１０１の外部離脱を防ぐことになる。
【００９７】
ここで、上記上部キャップ１１３は、上記レンズバレル１１０の上部内部面に挿入された後、上記レンズバレル１１０の内部面と上部キャップ１１３の外部面との間に塗布されるボンディング剤により固定することもでき、上記上部キャップ１１３の外部面に雄ねじ部を形成し、上記レンズバレル１１０の内部面に雌ねじ部を形成してねじ結合することも出来る。
【００９８】
そして、上記レンズバレル１１０と基板１３０を組立てる作業は、図４ｄに図示したように、上記液体レンズ１０１と固体レンズ１０２がそれぞれ配置されたレンズバレル１１０を上部部品とし、イメージセンサ１２０が搭載された基板１３０を下部部品として上下配置した状態で、上記レンズバレルの下部端に形成された位置結晶用ピン１１７を上記基板１３０に形成された位置結晶用溝１３７内に挿入する。
【００９９】
この際、上記レンズバレル１１０の胴体の外部面に沿って延長される第１，２リード１４０ａ，１４０ｂの垂直胴体１４１ａ，１４１ｂは、上記基板１３０の上部面に形成された端子連結部１３５ａ，１３５ｂと一対一で対応する。
【０１００】
これにより、上記垂直胴体１４１ａ，１４１ｂの各下端は、上記端子連結部１３５ａ，１３５ｂとそれぞれはんだ１３６ａ，１３６ｂを介して電気的に連結されるか、上記端子連結部１３６ａ，１３６ｂに形成されるコネクタ（未図示）に挿入され電気的に連結される。
【０１０１】
そして上記レンズバレル１１０は、基板１３０の外側の周りに塗布されるボンディング剤を介して上記レンズバレル１１０の下部端と上記基板１３０の上部面がボンディング接合されることにより、上記レンズバレル１１０と基板１３０が上下組み立てられるオートフォーカシング用カメラモジュール１００を製造完成することになる。
<第２実施例>
【０１０２】
図５は、本発明による液体レンズを有するオートフォーカシング用カメラモジュールの第２実施例を図示した縦断面図で、本発明の第２実施例によるカメラモジュール２００は、レンズバレル２１０、イメージセンサ２２０、基板２３０及び電源印加部２４０を含んで構成される。
【０１０３】
上記レンズバレル２１０、イメージセンサ２２０及び基板２３０は、第１実施例に開示された構成と相互同じであるため２００番代の番号を与え、詳しい説明は以下省略する。
【０１０４】
上記電源印加部２４０は、上記レンズバレル２１０の胴体に垂直に貫通形成される配置孔２１５ａ，２１５ｂに挿入され固定されることにより、液体レンズ２０１に電源を印加するよう上記液体レンズ２０１と基板２３０との間を電気的に連結する。
【０１０５】
このような電源印加部２４０は、陽極と陰極を選択的に提供するよう導電性金属素材からなる第１リード２４０ａと第２リード２４０ｂを含む。
【０１０６】
上記第１リード２４０ａと第２リード２４０ｂは、各上端が上記レンズバレル２１０の内部空間に一定長さ露出され、上記液体レンズ２０１の外部面と接することにより上記液体レンズ２０１と電気的に連結される。
【０１０７】
そして、上記第１リード２４０ａと第２リード２４０ｂの各下端は、上記基板２３０と対応するレンズバレル２１０の外部に露出され、上記基板２３０と電気的に連結される。
【０１０８】
即ち、上記第１リード２４０ａの上端は、上記液体レンズ２０１を構成するベース２０１ａの上部面に接触して電気的に連結されるよう、上記液体レンズ２０１と上部キャップ２１３との間に積層配置され、上記第１リード２４０ａの下端は、上記基板２３０の上部面に形成される端子連結部２３５ａに接続される。
【０１０９】
上記第２リード２４０ｂの上端は、上記ベース２０１ａの下部面に接合される下部透明基板２０１ｂの下部面に接触され電気的に接続され、上記第２リード２４０ｂの下端は、上記基板２３０の上部面に形成される他の端子連結部２３５ｂに接続される。
【０１１０】
ここで、上記第１リード２４０ａと第２リード２４０ｂの各下端は、電源供給用端子の端子連結部２３５ａ，２３５ｂとはんだ２３６ａ，２３６ｂを介して電気的に連結されるか、上記基板２３０の端子連結部２３５ａ，２３５ｂに備えられるコネクタ（未図示）を介して電気的に連結される。
【０１１１】
これにより、上記第１リード２４０ａ、液体レンズ２０１及び第２リード２４０ｂは、電源印加時に電流が一方向へ流れる一連の回路を備えることになる。
【０１１２】
そして上記第１リード２４０ａは、図５と図６に図示したように、樹脂物からなるレンズバレル２１０の成形時に上記レンズバレル２１０の胴体に垂直に貫通形成される配置孔２１５ａに挿入配置され、下端が外部露出される垂直胴体２４１ａと、上記垂直胴体２４１ａの上端から９０度折曲して上記液体レンズ２０１のベース２０１ａに接する水平胴体２４３ａとを設けて構成される。
【０１１３】
上記第２リード２４０ｂは、上記第１リードと同様に、レンズバレル２１０の成形時に上記レンズバレル２１０の胴体に垂直に貫通形成される他の配置孔２１５ｂに挿入配置され、下端が外部露出される垂直胴体２４１ｂと、上記垂直胴体２４１ｂの上端から９０度折曲して上記液体レンズ２０１の下部透明基板２０１ｂの下部面に接する水平胴体２４３ｂとを設けて構成される。
【０１１４】
ここで、上記第１リード２４０ａの水平胴体２４３ａは、上記上部キャップ２１３と液体レンズ２０１との間に積層配置され、上記第２リード２４０ｂの水平胴体２４３ｂは、上記液体レンズ２０１と固体レンズ２０２との間に積層配置される。
【０１１５】
そして、上記第１リード２４０ａの水平胴体２４３ａは、上記液体レンズ２０１の上部透明基板２０１ｃの外径より大きい大きさを有する貫通孔２４４ａを中央領域に貫通形成し、上記第２リード２４０ｂの水平胴体２４３ｂは、上記液体レンズ２０１と固体レンズ２０２の有効径より大きい大きさを有する貫通孔２４４ｂを貫通形成する。
【０１１６】
上記貫通孔２４４ａ，２４４ｂの中心は、上記液体レンズ２０１と固体レンズ２０２の中心を通過する光軸と相互一致することが好ましい。
【０１１７】
また、上記第１，２リード２４０ａ，２４０ｂの各垂直胴体２４３ａ，２４３ｂと対応するレンズバレル２２０の内部面には、上記第１，２リード２４０ａ，２４０ｂが配置孔２１５ａ，２１５ｂに挿入されることを案内し、かつ上記垂直胴体２４３ａ，２４３ｂの左右流動が困難であるよう上記垂直胴体２４３ａ，２４３ｂが挿入される配置孔２１５ａ，２１５ａと連結されるリード配置溝２１６ａ，２１６ｂをそれぞれ備える。
【０１１８】
上記構成のカメラモジュール２００を組立てる工程は、図７ａに図示したように、第１，２レンズ収容部２１１，２１２を備えるレンズバレル２１０を用意し、上記レンズバレル２１０には配置孔２１５ａ，２１５ｂとリード配置溝２１６ａ，２１６ｂを備える。
【０１１９】
上記配置孔２１５ａ，２１５ｂとリード配置溝２１６ａ，２１６ｂは、レンズバレル２１０の射出成形時に上記レンズバレル２１０に形成される。
【０１２０】
そして、上記レンズバレル２１０に固体レンズ２０２を配置する作業は、図７ｂに図示したように、複数個の固体レンズ２０２を光軸方向に挿入すると、最下層の固体レンズ２０２は第２レンズ収容部２１２の内部面に突出形成された突出段差２１９に平面部が接して固定され、上記固体レンズとこれに隣接する他の固体レンズはスペーサ２０２ａを介して積層配置される。
【０１２１】
上記固体レンズ２０２が第２レンズ収容部２１２に配置完了すると、垂直胴体２４１ｂと水平胴体２４３ｂからなる第２リード２４０ｂを上記レンズバレル２１０の直上部に配置する。
【０１２２】
このような状態で、上記垂直胴体２４１ｂは、上記レンズバレル２１０に形成されたリード配置溝２１６ｂに沿って案内挿入し、かつ上記配置孔２１５ｂに挿入して下端を外部に露出し、上記レンズバレルの内部に残留する水平胴体２４３ｂは最上層の固体レンズ２０２に接することになる。
【０１２３】
そして、上記液体レンズ２０１をレンズバレル２１０に配置する作業は、図７ｃに図示したように、ベース２０１ａ、上下部透明基板２０１ｃ，２０１ｂを含み、上記ベース２０１ａのキャビティＣに電解液と絶縁液を充填した液体レンズ２０１を上記レンズバレル２１０の内部に挿入して第１レンズ収容部２１１に積層配置する。
【０１２４】
このような場合、上記液体レンズ２０１の下部透明基板２０１ｂは、上記レンズバレル２１０の一側配置孔２１５ｂに挿入配置された第２リード２４０ｂの水平胴体２４３ｂと接することになり、第２リード２４０ｂの水平胴体２４３ｂは上記液体レンズ２０１の下部透明基板２０１ｂと上記最上層の固体レンズ２０２との間に積層配置される。
【０１２５】
次に、上記液体レンズ２０１が第１レンズ収容部２１１に配置完了すると、垂直胴体２４１ａと水平胴体２４３ａからなる第１リード２４０ａを上記レンズバレル２１０の直上部に配置した後、上記垂直胴体２４１ａは上記レンズバレル２１０に形成されたリード配置溝２１６ａに沿って案内挿入し、かつ上記配置孔２１５ａに挿入することにより上記第１リードの下端を外部に露出し、上記レンズバレルの内部に残留する水平胴体２４３ａは液体レンズ２０１の上部面と接することになる。
【０１２６】
そして、上記レンズバレル２１０の上部には、図７ｄに図示したように、中央に入射孔２１３ａを貫通形成した上部キャップ２１３を組立て固定することにより、上記レンズバレル２１０の第１レンズ収容部２１１に挿入配置された液体レンズ２０１の外部離脱を防ぐ。
【０１２７】
このような場合、上記第１リード２４０ａの水平胴体２４３ａは、上記上部キャップ２１３の下部面と上記液体レンズのベース２０１ａとの間に積層配置される。
【０１２８】
続いて、上記レンズバレル２１０と基板２３０を組み立てる作業は、上記液体レンズ２０１と固体レンズ２０２がそれぞれ配置されたレンズバレル２１０を上部部品とし、イメージセンサ２２０が搭載された基板２３０を下部部品として上下配置した状態で、上記レンズバレルの下部端に形成された位置結晶用ピン２１７を上記基板２３０に形成された位置結晶用溝２３７内に挿入する。
【０１２９】
この際、上記レンズバレル２１０の胴体の外部面に沿って延長される第１，２リード２４０ａ，１４０ｂの垂直胴体２４１ａ，２４１ｂは、上記基板２３０の上部面に形成された端子連結部２３５ａ，２３５ｂと一対一で対応する。
【０１３０】
これにより、上記垂直胴体２４１ａ，２４１ｂの各下端は、上記端子連結部２３５ａ，２３５ｂとそれぞれはんだ２３６ａ，２３６ｂを介して電気的に連結されるか、上記端子連結部２３５ａ，２３５ｂに形成されるコネクタ（未図示）に挿入され電気的に連結される。
【０１３１】
そして、上記レンズバレル２１０は、基板２３０の外側の周りに塗布されるボンディング剤を介して上記レンズバレル２１０の下部端と上記基板２３０の上部面がボンディング接合されることにより、上記レンズバレル２１０と基板２３０が上下組み立てられるオートフォーカシング用カメラモジュール２００を製造完成することになる。
<第３実施例>
【０１３２】
図８は、本発明による液体レンズを有するオートフォーカシング用カメラモジュールの第３実施例を図示した縦断面図で、本発明の第３実施例によるカメラモジュール３００は、レンズバレル３１０、イメージセンサ３２０、基板３３０及び電源印加部３４０を含んで構成される。
【０１３３】
上記レンズバレル３１０、イメージセンサ３２０及び基板３３０は、第１，２実施例の開示された構成と相互同じ構成要素に対しては３００番代の番号を与え、詳しい説明は以下省略する。
【０１３４】
上記電源印加部３４０は、上記レンズバレル３１０の胴体に垂直に貫通形成される配置孔３１５に挿入され、上記液体レンズ３０１と固体レンズ３０２との間に折れ配置されることにより、液体レンズ３０１に電源を印加するよう上記液体レンズ３０１と基板３４０との間を電気的に連結する。
【０１３５】
このような電源印加部３４０は、上記液体レンズ３０１と対応する外部面に陽極と陰極を選択的に提供するよう導電性物質を素材として、第１，２及び３連結パターン３４１ａ，３４２ａ，３４３ａ，３４３ｂを印刷した可撓性基板に備えられる。
【０１３６】
上記可撓性基板は、上記液体レンズ３０１と対応して接する外部面に、第１，２連結パターン３４１ａ，３４２ａを備えて上記液体レンズ３０１と電気的に連結され、上記可撓性基板の下端は上記配置孔３１５を通してレンズバレル３１０の外部に露出される第３連結パターン３４３ａ，３４３ｂを備えて上記基板３３０と電気的に連結される。
【０１３７】
このような可撓性基板は、図８と図１０（ａ）に図示したように、第１，２及び３基板３４１，３４２，３４３を含んで構成され、上記第１基板３４１は、上記液体レンズ３０１を構成するベース３０１ａと対応する外部面に第１連結パターン３４１ａが印刷され、上記第２可撓性基板３４２は、上記液体レンズ３０１を構成する下部透明基板３０１ｂに接する第２連結パターン３４２ａが印刷され、上記第３可撓性基板３４３は、上記基板３３０の上部面に形成された端子連結部３３５ａ，３３５ｂと接続される第３連結パターン３４３ａ，３４３ｂが印刷される。
【０１３８】
ここで、上記第１連結パターン３４１ａと一側の第３連結パターン３４３ａは、上記可撓性基板に印刷される回路ライン３４５ａを通して相互電気的に連結され、上記第２連結パターン３４２ａと他側の第３連結パターン３４３ｂは、上記可撓性基板に印刷される他の回路ライン３４５ｂを通して相互電気的に連結される。
【０１３９】
上記第１可撓性基板３４１と第２可撓性基板３４２は、上記レンズバレル３１０の第１レンズ収容部３１１に相互並んで配置され、上記第１可撓性基板３４１と第２可撓性基板３４２との間には、これらを連結する第１連結可撓性基板３４４を設ける。
【０１４０】
上記第１連結可撓性基板３４４は、上記レンズバレル３１０の射出成形時に、その内部面に一定の深さで陥没形成される基板配置溝３１６ａに配置される。これにより上記可撓性基板は、上記基板配置溝３１６ａに配置される第１連結可撓性基板３４４により上記第１，２基板３４１，３４２がレンズバレル３１０内で左右流動されることを防ぐことになる。
【０１４１】
そして、上記第２可撓性基板３４２と第３可撓性基板３４３は、これらを連結し、かつ上記レンズバレル３１０に貫通形成された配置孔３１５に挿入される第２連結可撓性基板３４６を設ける。
【０１４２】
上記第２連結可撓性基板３４６は、上記レンズバレル３１０の射出成形時に上記配置孔３１５から延長され、上記レンズバレル３１０の内部面に一定の深さで陥没形成される他の基板配置溝３１６ｂに配置される。これにより上記可撓性基板は、上記配置孔３１５に挿入され基板配置溝３１６ｂに配置される第２連結可撓性基板３４６により、上記第３可撓性基板３４３が左右流動されることを防ぎ垂直状態を維持することになる。
【０１４３】
上記第３基板３４３に形成される第３連結パターン３４３ａ，３４３ｂは、上記基板３３０の上部面に形成される端子連結部３３５ａ，３３５ｂにそれぞれ電気的に連結される。
【０１４４】
ここで、上記第３連結パターン３４３ａ，３４３ｂは、電源供給用端子の端子連結部３３５ａ，３３５ｂとはんだ３３６ａ，３３６ｂを介して電気的に連結されるか、または上記端子連結部３３５ａ，３３５ｂに備えられるコネクタ（未図示）を介して電気的に連結される。
【０１４５】
これにより、上記第１，２及び第３連結パターン３４１，３４２，３４３、液体レンズ３０１は、電源印加時に電流が一方向へ流れる一連の回路を備えることになる。
【０１４６】
そして、上記第１可撓性基板３４１は、図８に図示したように、上記レンズバレル３１０の上部に組み立てられる上部キャップ３１３の下部面と上記ベース３０１ａの上部面との間に積層配置され、上記第２可撓性基板３４２は上記ベース３０１ａの下部面に接合される下部透明基板３０１ｂの下部面と最上層の固体レンズとの間に積層配置される。
【０１４７】
このような場合、上記第１可撓性基板３４１と第２可撓性基板３４２の外径の大きさは、上記レンズバレル３１０の第１レンズ収容部３１１に配置される第１，２基板３４１，３４２の左右流動を防ぐよう上記第１レンズ収容部の内径の大きさと同一に備えられることが好ましい。
【０１４８】
上記第１可撓性基板３４１には、上記液体レンズ３０１の上部透明基板３０１ｃの外径より大きい大きさを有する貫通孔３４１ｂを中央領域に貫通形成し、上記第２可撓性基板２４２には、上記液体レンズ３０１と固体レンズ３０２の有効径より大きい大きさを有する貫通孔３４２ｂを貫通形成する。
【０１４９】
上記貫通孔３４１ｂ，３４２ｂの中心は、上記液体レンズ３０１と固体レンズ３０２の中心を通過する光軸と相互一致することが好ましい。
【０１５０】
図９は、本発明による液体レンズを有するオートフォーカシング用カメラモジュールの第４実施例を図示したもので、このようなカメラモジュール３００ａに採用される可撓性基板は、上記レンズバレル３１０の内部面と上記ベース３０１ａの外側面との間に積層配置される第１可撓性基板３４１'と、上記ベース３０１ａに備えられる下部透明基板３０１ｂと固体レンズ３０２との間に積層配置される第２可撓性基板３４２'と、上記基板３３０に接続される第３可撓性基板３４３'とを含んで構成される。
【０１５１】
上記第１可撓性基板３４１'は、図１０（ｂ）に図示したように、上記ベース３０１ａの外側面の高さに対応する大きさで備えられ、上記ベース３０１ａの外側面に対応する外部面に第１連結パターン３４１ａ'が印刷され、上記第２可撓性基板３４２'には上記下部透明基板３０１ｂに接する第２連結パターン３４２ａ'が印刷され、上記第３可撓性基板３４３'には上記基板３３０の上部面に形成された端子連結部３３５ａ，３３５ｂと接続される第３連結パターン３４３ａ'，３４３ｂ'が印刷される。
【０１５２】
ここで、上記第１連結パターン３４１ａ'と一側の第３連結パターン３４３ａ'は、上記可撓性基板に印刷される回路ライン３４５ａ'を通して相互電気的に連結され、上記第２連結パターン３４２ａ'と他側の第３連結パターン３４３ｂ'は、上記可撓性基板に印刷される他の回路ライン３４５ｂ'を通して相互電気的に連結される。
【０１５３】
上記第１可撓性基板３４１'と第２可撓性基板３４２'との間には、第１連結可撓性基板３４４'を備え、上記第２可撓性基板と第３可撓性基板との間には第２連結可撓性基板３４６'を備え、上記第３基板３４３'に形成される第３連結パターン３４３ａ'，３４３ｂ'は、上記基板３３０の上部面に形成される端子連結部３３５ａ，３３５ｂにそれぞれ電気的に連結される。
【０１５４】
そして、上記第１可撓性基板３４１'は、第１連結可撓性基板３４４'の幅より大きい大きさに備えられるものと図示して説明したが、これに限定されず、上記第１可撓性基板３４１'は、第１連結可撓性基板３４４'の幅と同一か小さい大きさに備えられ、上記第１連結可撓性基板３４４'が配置される基板配置溝３１６ａに配置される。
【０１５５】
上記構成のカメラモジュール３００を組立てる工程は、図１１ａに図示したように、第１，２レンズ収容部３１１，３１２を備えるレンズバレル３１０を用意し、上記レンズバレル３１０には配置孔３１５と基板配置溝３１６ａ，３１６ｂを備える。
【０１５６】
上記配置孔３１５と基板配置溝３１６ａ，３１６ｂは、レンズバレル３１０の射出成形時に上記レンズバレル３１０に形成される。
【０１５７】
そして、上記レンズバレル３１０に固体レンズ３０２を配置する作業は、図１１ｂに図示したように、複数個の固体レンズ３０２を光軸方向に挿入すると、最下層の固体レンズ３０２は第２レンズ収容部３１２の内部面に突出形成された突出段差３１９に平面部が接して固定され、上記固体レンズとこれに隣接する他の固体レンズはスペーサ３０２ａを介して積層配置される。
【０１５８】
上記固体レンズ３０２が第２レンズ収容部３１２に配置完了すると、第１，２及び３基板を含む可撓性基板を上記レンズバレル３１０の直上部に配置する。
【０１５９】
このような状態で、上記第３可撓性基板３４３の下端を上記レンズバレル３１０に形成されたリード配置溝３１６ｂに沿って案内挿入し、かつ上記配置孔３１５に挿入して下端を外部に露出し、上記レンズバレル３１０の内部に残留する残りの第２可撓性基板３４２は、固体レンズ３０２側に、図面上の左側に９０度折曲することにより、上記第２可撓性基板３４２の一側面は最上層の固体レンズ３０２と接することになり、他側面に形成された第２連結パターン３４２ａは上部に露出され、上記第２可撓性基板３４２の外側の周りは上記レンズバレル３１０の内部面に接することになる。
【０１６０】
ここで、上記第２可撓性基板３４２に形成された貫通孔３４２ｂは、上記固体レンズ３０２の中心を通過する光軸と相互一致するようにする。
【０１６１】
次に、上記第１可撓性基板３４１と第２可撓性基板３４２との間を連結する第１連結可撓性基板３４４は、上記レンズバレルに陥没形成された基板配置溝３１６ａに配置されるようにし、かつ上記第１可撓性基板３４１は上記第２可撓性基板３４２に対してレンズバレルの内側に、図面上の右側に９０度折曲することにより、上記第１可撓性基板３４１は垂直状態となる。
【０１６２】
そして、上記液体レンズ３０１をレンズバレル３１０に配置する作業は、図１１ｃに図示したように、ベース３０１ａ、上下部透明基板３０１ｃ，３０１ｂを含み、上記ベース３０１ａのキャビティＣに電解液と絶縁液を充填した液体レンズ３０１を上記レンズバレル３１０の内部に挿入して第１レンズ収容部３１１に積層配置する。
【０１６３】
このような場合、上記液体レンズ３０１の下部透明基板３０１ｂは、上記第２可撓性基板３４２の第２連結パターン３４２ａと接することになり、上記第２基板３４２は、上記液体レンズ３０１の下部透明基板３０１ｂと上記最の上層固体レンズ３０２との間に積層配置される。
【０１６４】
次に、上記液体レンズ３０１が第１レンズ収容部３１１に配置完了した後、上記第２可撓性基板３４２から延長された上記第１可撓性基板３４１を液体レンズ側に図面上９０度折曲すると、上記上部透明基板３０１ｃの外径より大きい内径の大きさで貫通形成された貫通孔３４１ｂを有する第１可撓性基板３４１は、ベース３０１ａの外部面に接することになり、上記第１可撓性基板３４１に形成された第１連結パターン３４１ａは上記ベース３０１ａの上部面に接続される。
【０１６５】
そして、上記レンズバレル３１０の上部には、図１１ｄに図示したように、中央に入射孔３１３ａを貫通形成した上部キャップ３１３を組み立て固定することにより、上記レンズバレル３１０の第１レンズ収容部３１１に挿入配置された液体レンズ３０１の外部離脱を防ぐと同時に、上記第１可撓性基板３４１の折れ状態を維持することになる。
【０１６６】
このような場合、上記第１可撓性基板３４１は、上記上部キャップ３１３の下部面と上記液体レンズ３０１のベース３０１ａとの間に積層配置され、上記第１可撓性基板３４１に形成された第１連結パターン３４１ａは上記ベース３０１ａとの接触状態を維持することになる。
【０１６７】
続いて、上記レンズバレル３１０と基板３３０を組立てる作業は、上記液体レンズ３０１と固体レンズ３０２がそれぞれ配置されたレンズバレル３１０を上部部品とし、イメージセンサ３２０が搭載された基板３３０を下部部品として上下配置した状態で、上記レンズバレルの下部端に形成された位置結晶用ピン３１７を上記基板３３０に形成された位置結晶用溝３３７内に挿入する。
【０１６８】
この際、上記レンズバレル３１０の胴体の外部に露出され、胴体の外部面に沿って延長される第３可撓性基板３４２の第３連結パターン３４３ａ，３４３ｂは、上記基板３３０の上部面に形成された端子連結部３３５ａ，３３５ｂと一対一で対応する。
【０１６９】
これにより、上記第３連結パターン３４３ａ，３４３ｂは、上記端子連結部３３５ａ，３３５ｂとそれぞれはんだ３３６ａ，３３６ｂを介して電気的に連結されるか、または上記端子連結部３３５ａ，２３５ｂに形成されるコネクタ（未図示）に挿入され電気的に連結される。
【０１７０】
そして、上記レンズバレル３１０は、基板３３０の外側の周りに塗布されるボンディング剤を介して上記レンズバレル３１０の下部端と上記基板３３０の上部面がボンディング接合されることにより、上記レンズバレル３１０と基板３３０が上下組み立てられるオートフォーカシング用カメラモジュール２００を製造完成することになる。
【０１７１】
上記のように製作されたオートフォーカシング用カメラモジュール１００，２００，３００，３００ａは、上記基板１３０，２３０，３３０に備えられる端子連結部を通して電源印加すると、上記端子連結部と接続される電源印加部１４０，２４０，３４０を通して上記液体レンズ１０１，２０１，３０１のベースと下部透明基板に電流が供給され、上記ベースのキャビティＣに充填された電解液に電流が流れるようになる。
【０１７２】
これにより、上記電解液の表面張力が変わり電気湿潤（ｅｌｅｃｔｒｏ−ｗｅｔｔｉｎｇ）現象が起きて絶縁液と電解液との界面Ｐの平衡湿潤条件により界面の曲率を変化させることにより、液体レンズ１０１，２０１，３０１とイメージセンサ１２０，２２０，３２０との間の焦点距離を簡単に調節することが出来る。
【０１７３】
本発明は特定の実施例に係わり図示され説明したが、添付の特許請求の範囲により備えられた本発明の精神や分野を外れない範囲内で本発明が多様に改造及び変化されることが出来るということを当業界において通常の知識を有している者は容易に分かることを明らかにする。
【図面の簡単な説明】
【０１７４】
【図１】一般のカメラモジュールを図示した縦断面図である。
【図２】本発明による液体レンズを有するオートフォーカシング用カメラモジュールの第１実施例を図示した縦断面図である。
【図３】本発明による液体レンズを有するオートフォーカシング用カメラモジュールの第１実施例に採用される電源印加部を図示した斜視図である。
【図４ａ】本発明による液体レンズを有するオートフォーカシング用カメラモジュールの第１実施例を組立てる組立図である。
【図４ｂ】本発明による液体レンズを有するオートフォーカシング用カメラモジュールの第１実施例を組立てる組立図である。
【図４ｃ】本発明による液体レンズを有するオートフォーカシング用カメラモジュールの第１実施例を組立てる組立図である。
【図４ｄ】は本発明による液体レンズを有するオートフォーカシング用カメラモジュールの第１実施例を組立てる組立図である。
【図５】本発明による液体レンズを有するオートフォーカシング用カメラモジュールの第２実施例を図示した縦断面図である。
【図６】本発明による液体レンズを有するオートフォーカシング用カメラモジュールの第２実施例に採用された電源印加部を図示した斜視図である。
【図７ａ】は本発明による液体レンズを有するオートフォーカシング用カメラモジュールの第２実施例を組立てる組立図である。
【図７ｂ】は本発明による液体レンズを有するオートフォーカシング用カメラモジュールの第２実施例を組立てる組立図である。
【図７ｃ】は本発明による液体レンズを有するオートフォーカシング用カメラモジュールの第２実施例を組立てる組立図である。
【図７ｄ】は本発明による液体レンズを有するオートフォーカシング用カメラモジュールの第２実施例を組立てる組立図である。
【図８】本発明による液体レンズを有するオートフォーカシング用カメラモジュールの第３実施例を図示した縦断面図である。
【図９】本発明による液体レンズを有するオートフォーカシング用カメラモジュールの第４実施例を図示した縦断面図である。
【図１０】（ａ）は、本発明による液体レンズを有するオートフォーカシング用カメラモジュールの第３実施例に採用された電源印加部を図示した斜視図であり、（ｂ）は、本発明による液体レンズを有するオートフォーカシング用カメラモジュールの第４実施例に採用された電源印加部を図示した斜視図である。
【図１１ａ】本発明による液体レンズを有するオートフォーカシング用カメラモジュールの第４実施例を組立てる組立図である。
【図１１ｂ】本発明による液体レンズを有するオートフォーカシング用カメラモジュールの第４実施例を組立てる組立図である。
【図１１ｃ】本発明による液体レンズを有するオートフォーカシング用カメラモジュールの第４実施例を組立てる組立図である。
【図１１ｄ】本発明による液体レンズを有するオートフォーカシング用カメラモジュールの第４実施例を組立てる組立図である。
【符号の説明】
【０１７５】
１０１、２０１、３０１  液体レンズ
１０１ａ、２０１ａ、３０１ａ  ベース
１０２、２０２、３０２  固体レンズ
１１０、２１０、３１０  レンズバレル
１１１、２１１、３１１  第１レンズ収容部
１１２、２１２、３１２  第２収容部
１２０、２２０、３２０  イメージセンサ
１３０、２３０、３３０  基板
１３５ａ、１３５ｂ、２３５ａ、２３５ｂ、３３５ａ、３３５ｂ  端子連結部
１３６ａ、１３６ｂ、２３６ａ、２３６ｂ、３３６ａ、３３６ｂ  はんだ部
１４０、２４０、３４０  電源印加部
１４０ａ、２４０ａ  第１リード
１４０ｂ、２４０ｂ  第２リード
１４１ａ、１４１ｂ ２４１ａ、２４１ａ  垂直胴体
１４３ａ、１４３ｂ  弾性接触部
２４３ａ、２４３ｂ  水平胴体
３４１、３４１'  第１可撓性基板
３４１ａ、３４１ａ'  第１連結パターン
３４２、３４２'  第２可撓性基板
３４２ａ、３４２ａ'  第２連結パターン
３４３、３４３'  第３可撓性基板
３４３ａ、３４３ａ'  第３連結パターン
【図１】
2008276228.tif 000003
【図２】
2008276228.tif 000004
【図３】
2008276228.tif 000005
【図４ａ】
2008276228.tif 000006
【図４ｂ】
2008276228.tif 000007
【図４ｃ】
2008276228.tif 000008
【図４ｄ】
2008276228.tif 000009
【図５】
2008276228.tif 000010
【図６】
2008276228.tif 000011
【図７ａ】
2008276228.tif 000012
【図７ｂ】
2008276228.tif 000013
【図７ｃ】
2008276228.tif 000014
【図７ｄ】
2008276228.tif 000015
【図８】
2008276228.tif 000016
【図９】
2008276228.tif 000017
【図１０】
2008276228.tif 000018
【図１１ａ】
2008276228.tif 000019
【図１１ｂ】
2008276228.tif 000020
【図１１ｃ】
2008276228.tif 000021
【図１１ｄ】
2008276228.tif 000022